(57)【要約】【課題】より安全性の高い空気調和機を提供する。【解決手段】空気調和機１は、タンク４０と、送風機５と、傾斜スイッチと、制御部とを備える。傾斜スイッチは、転倒検知および転倒検知解除をする。制御部は、第１制御と第２制御を行わせる。第１制御は、第１所定時間の運転禁止状態を保たせる。第２制御は、第２所定時間送風機５のみを稼動させる送風運転状態を保たせる。また、制御部は、第１制御または第２制御を、傾斜スイッチが転倒検知解除をした後に行わせる。【選択図】図２
2009257632.tif 000002
【特許請求の範囲】
【請求項１】
水貯留容器（４０）と、
送風機（５）と、
転倒検知および転倒検知解除をする転倒検知部（８）と、
第１所定時間の運転禁止状態を保つ第１制御または第２所定時間送風機（５）のみを稼動させる送風運転状態を保つ第２制御を、前記転倒検知部（８）が転倒検知解除をした後に行わせる制御部（６）と、
を備えた空気調和機（１）。
【請求項２】
空気中から水分を取り除き、取り除いた水分を前記水貯留容器（４０）に集めさせる除湿部（３）、
をさらに備える、
請求項１に記載の空気調和機（１）。
【請求項３】
前記水貯留容器（４０）から供給された水により加湿運転を行わせる加湿部（４）、
をさらに備える、
請求項１または２に記載の空気調和機（１）。
【請求項４】
前記転倒検知部（８）が転倒検知をしたときには、ユーザに転倒を知らせる報知部（９）、
をさらに備える、
請求項１に記載の空気調和機（１）。
【請求項５】
操作入力部（６０）をさらに備え、
前記報知部（９）は、前記転倒検知部（８）が転倒検知解除をしても、前記操作入力部（６０）への操作がされるまで転倒を知らせ続ける、
請求項４に記載の空気調和機（１）。
【請求項６】
前記制御部（６）は、前記転倒検知部（８）が転倒検知解除をした後に、前記第１制御を行わせた後さらに前記第２制御を行わせる、
請求項１に記載の空気調和機（１）。
【発明の詳細な説明】
【技術分野】
【０００１】
本発明は、空気調和機に関する。
【背景技術】
【０００２】
除湿機能または加湿機能を備える空気調和機では、特性上空気調和機内部に水貯留容器を有するものが多い。また、除湿機能または加湿機能を備えていない空気調和機であっても、ドレンパン等の水貯留容器を備えるものもある。この場合、特に床置き式の空気調和機の場合は転倒の恐れがあり、水貯留容器中の水がこぼれてしまう可能性がある。このため、水貯留容器を電気回路部品よりも遠い位置に設けたり、電気回路部品のボックス回りを厳重に密封したりするものが多い。しかし、転倒時、万が一水が電気部品回路にかかる可能性もある。そこで、転倒時に水を外部に排出し通電をオフさせる加湿機が提案されている（特許文献１参照）。
【特許文献１】特開２００７−３０９５２９
【発明の開示】
【発明が解決しようとする課題】
【０００３】
しかしながら、水を外部に排出させる空気調和機であっても、もし水が電気回路部品にかかった場合を想定すると、空気調和機の安全性をより高めることが好ましい。
【０００４】
そこで、本発明の課題は、より安全性の高い空気調和機を提供することにある。
【課題を解決するための手段】
【０００５】
第１発明に係る空気調和機は、水貯留容器と、送風機と、転倒検知部と、制御部とを備えている。転倒検知部は、転倒検知および転倒検知解除をする。ここでの転倒検知部は、例えば、傾斜スイッチである。制御部は第１制御と第２制御を行わせる。第１制御は、第１所定時間の運転禁止状態を保たせる。第２制御は、第２所定時間送風機のみを稼動させる送風運転状態を保たせる。また、制御部は、第１制御または第２制御を、転倒検知部が転倒検知解除をした後に行わせる。
【０００６】
この空気調和機では、第１所定時間、運転禁止状態を保たせることによって、安全性を高め、または第２所定時間、送風機のみを稼動させる送風運転状態を保たせることによって、空気調和機内部をより速く乾燥させ安全性を高めることが可能になる。
【０００７】
なお、第１所定時間と第２所定時間は、同じ時間であってもよいし、異なる時間であってもよい。
【０００８】
第２発明に係る空気調和機は、第１発明に係る空気調和機であって、除湿部は、空気中から水分を取り除き、取り除いた水分を水貯留容器に集める。
【０００９】
第３発明に係る空気調和機は、第１発明または第２発明に係る空気調和機であって、加湿部は、水貯留容器から供給された水により加湿運転を行う。
【００１０】
第２発明、第３発明に係る空気調和機では、除湿、加湿運転が行われることにより調湿した空気を提供することが可能になる。
【００１１】
第４発明に係る空気調和機は、第１発明に係る空気調和機であって、転倒検知部が転倒検知をしたときに、報知部がユーザに報知することによって、ユーザは空気調和機が転倒していることを知ることができる。
【００１２】
これにより、ユーザは、空気調和機が転倒したことを確実に知ることができる。
【００１３】
ここでは、例えば、報知部は、音および／または表示によりユーザに転倒を知らせる。
【００１４】
また、空気調和機の転倒時での報知部は、通常の運転時の音よりも大きな音で知らせ続けさせることが望ましい。
【００１５】
第５発明に係る空気調和機は、第４発明に係る空気調和機であって、操作入力部を備える。
【００１６】
報知部は、転倒検知部が転倒検知解除をしても、ユーザによる操作入力部への操作がされるまで転倒を知らせ続ける。例えば、空気調和機が起こされ正常な状態に戻った場合には、転倒検知部は転倒検知解除をするが、その場合であってもユーザが操作入力部への操作を行わなければ、報知部は転倒を知らせ続ける。
【００１７】
これにより、より安全性を保つことが可能になる。
【００１８】
第６発明に係る空気調和機は、第１発明に係る空気調和機であって、制御部は、転倒検知部が転倒検知解除をした後に、第１制御を行わせた後さらに第２制御を行わせる。
【００１９】
ここでは、運転禁止後さらに送風運転を行うことによって、より安全性を高めることが可能になる。
【発明の効果】
【００２０】
第１発明に係る空気調和機では、第１所定時間の運転を禁止することによって安全性を高め、または第２所定時間の送風運転を行うことによって、空気調和機内部をより速く乾燥させ安全性を高めることが可能になる。
【００２１】
第２発明、第３発明に係る空気調和機では、除湿、加湿運転が行われることにより調湿した空気を提供することが可能になる。
【００２２】
第４発明に係る空気調和機では、ユーザは、空気調和機が転倒したことを、報知部によって確実に知ることができる。
【００２３】
第５発明に係る空気調和機では、より安全性を保つことが可能になる。
【００２４】
第６発明に係る空気調和機では、運転禁止後さらに送風運転を行うことによって、より安全性を高めることが可能になる。
【発明を実施するための最良の形態】
【００２５】
以下、図面を参照しながら、本発明の実施形態について説明する。
【００２６】
なお、以下の実施形態は、本発明の具体例であって、本発明の技術的範囲を限定するものではない。
【００２７】
＜空気調和機１の構成＞
本発明の一実施形態に係る空気調和機は、除湿機能、加湿機能、空気清浄機能を有しており、除湿運転時は除湿機として、加湿運転時は加湿機として、空気清浄運転時は空気清浄機として稼動する。また、単一の機能のみを行うだけでなく、複数の機能を同時に行うことができる。
【００２８】
空気調和機１は、図１、２に示すように、本体ケーシング１０、空気清浄部２、除湿部３、加湿部４、送風機５、制御部６、タンク４０および操作入力部６０等を備えている。
【００２９】
ここで、操作入力部６０以外は本体ケーシング１０の内部に収納されている。
【００３０】
以下、図１で示す矢印Ａの上流側を正面側とし、矢印Ａの下流側を背面側として、説明する。
【００３１】
図１、２に示すように、送風機５は、本体ケーシング１０内部の背面側部分に位置している。そして、空気調和機１は、縦断面視において、正面側から背面側に向かって、空気清浄部２、除湿部３、加湿部４、送風機５の順に並んでいる。送風機５が稼動されることにより、本体ケーシングの内部の正面側部分に位置する吸い込み口から吸い込まれた室内の空気は、空気清浄部２を通過して清浄され、除湿部３を通過した後に加湿部４を通過して送風機５を介して再び室内空間に送り出される。
【００３２】
本体ケーシング１０の正面側部分には、図１に示すように、カバー２１が位置している。
【００３３】
本体ケーシング１０の上部分には、図２、図４に示すように、吹出口１１が位置しており、清浄化され調湿された空気は、吹出口１１から室内空間に向けて吹き出される。また、本体ケーシングの上部分には、オートルーバ１２が位置しており、空気の吹き出し方向を変更することができる。さらに、本体ケーシング１０の上部分には操作入力部６０が位置しており、カバー１３によって保護されている。
【００３４】
操作入力部６０の下方には、制御部６が位置しており、制御部６は、ユーザによる操作入力部６０への操作がされた場合に、その操作に基づいて、空気清浄部２、除湿部３、加湿部４及び送風機５を制御する。
【００３５】
＜空気清浄部２＞
空気清浄部２は、図２に示すように、フィルタ集結部２２と、脱臭触媒２３と、ホコリセンサ２４（図３参照）と、ニオイセンサ２５（図３参照）とを有している。フィルタ集結部２２と脱臭触媒２３とは、本体ケーシング１０の内部の、正面側部分に設けられ、脱着可能に収納されている。
【００３６】
フィルタ集結部２２では、正面側から順に、プレフィルタ２６と、イオン化部２７と、プリーツフィルタ２８とが並んで配置されている。空気中のホコリは、プレフィルタ２６で取り除かれ、プレフィルタ２６で取りきれなかった小さなホコリは、イオン化部２７でプラスに帯電され、プリーツフィルタ２８に吸着される。
【００３７】
＜除湿部３＞
除湿部３は、図５に示すように、吸着素子３１、ヒータ３２、第２送風機３３、熱交換部３５が形成された送風管３４、排水口３８（図６参照）および満水センサ３９（図３参照）を有している。
【００３８】
送風管３４は、第１送風管３４ａ、第２送風管３４ｂ、第３送風管３４ｃおよび第４送風管３４ｄを有している。
【００３９】
第１送風管３４ａは、空気の流通ができるように、ヒータ３２と第２送風機３３とを連絡させている。
【００４０】
ヒータ３２によって加熱された高温空気は、ヒータ３２に対向する吸着素子３１の背面側から吸着素子３１の厚み方向に向かって進み、吸着素子３１の正面側から流れ出る。ここで、吸着素子３１の領域のうち高温空気が通過した領域は、高温空気によって加熱されて水分を高温空気へ放出する。吸着素子３１を通過した高温空気は、吸着素子３１から放出された水分を含むことにより、高温高湿空気となり、第２送風管３４ｂに進む。
【００４１】
第２送風管３４ｂは、吸着素子３１を通過してきた高温高湿空気の略全部を抵抗なく第３送風管３４ｃに向かわせるために、吸着素子３１の一部を正面側から覆うように配置されている。第３送風管３４ｃは、第２送風管３４ｂから流れてくる高温高湿空気を、吸着素子３１の径方向外側の外周に沿って正面視右側に導く。また、第３送風管３４ｃには、熱交換部３５が形成されている。熱交換部３５は、第２送風管３４ｂから流れてくる高温高湿空気と外部の冷たい空気との間で熱交換を行う。第４送風管３４ｄは、第３送風管３４ｃと第２送風機３３とを連絡している。第３送風管３４ｃを通過する高温高湿空気は、複数の長孔３５ａを形作っている壁面に接触して熱量と水分を奪われた後に、第４送風管３４ｄを通って第２送風機３３に吸い込まれる。
【００４２】
また、除湿部３は、図６に示すように、駆動モータ３６をさらに有している。駆動モータ３６は、ピニオン歯車３６１を有している。そして、吸着素子３１の外周には、ピニオン歯車３６１と噛み合う従動歯車３１１が設けられている。駆動モータ３６が稼動している間、吸着素子３１は、回転しており、空気と接触して水分を吸着し、ヒータ３２と対向する位置でその水分を放出し、再び空気と接触する。このように、吸着素子３１は、水分の吸着と放出を繰り返す。
【００４３】
満水センサ３９は、タンク４０が満水になったことを検知する。
【００４４】
＜加湿部４＞
加湿部４は、図２に示すように、本体ケーシング１０の内部に位置する除湿部３の背面側に位置し、図８、図９に示すように、主に、気化素子４１、水車４２およびモータ４３を有している。
【００４５】
気化素子４１は、不織布で円板状に成形され、回転することによってタンク４０から送られてくる水を蒸発させる気化部材である。
【００４６】
気化素子４１は、外周に第１歯車４１１を有しており、モータ４３は、起動歯車４３１を回転させることによって、第１歯車４１１を回転させる。
【００４７】
また、気化素子４１は、第１歯車４１１が駆動歯車４３１および第２歯車４２３と噛み合うことによって両歯車４３１、４２３によって支持されている。駆動歯車４３１および第２歯車４２３は、第１歯車４１１の回転軸よりも下方に位置し、且つ気化素子４１の鉛直中心線の面に対して互いに反対側に位置している。
【００４８】
気化素子４１と水車４２は、各回転の軸が略並行の位置関係にあり、互いに対向して隣接配置されている。
【００４９】
水車４２の背面側部分の外周近傍には、軸方向に窪んで形成された略台形状の凹部４２１ａが複数設けられている。
【００５０】
水車４２は、その軸がタンク４０に設けられた軸受４０ａに指示されることで、タンク４０に対して回転可能に支持されている。
【００５１】
軸受４０ａは、タンク４０のタンク底面の上面側から上方に伸びており、先端が下方にわずかに窪んだ形状を有しており、水車４２の回転軸４２４を回転自在に支持する。
【００５２】
また、水車４２は、回転することにより、タンク４０の水を上方へと運ぶ。
【００５３】
＜タンク４０＞
タンク４０は、除湿部３の機能が発揮されているときは、熱交換部３５によって凝縮された凝縮水を、排水口３８を介して集め、加湿部４の機能が発揮されているときは、水を供給する。
【００５４】
タンク４０は、本体ケーシング１０の挿入スペースＳ（図７参照）に対して着脱可能に設けられているため、引き出し式の第１扉１０ａ（図７、８参照）を引き出すことによって本体ケーシング１０の下方部分に位置する引き出し口１４（図７参照）から取り出すことができる。
【００５５】
これにより、タンク４０内の水が不足している場合には、水を補充するために、ユーザは、引き出し口１４からタンク４０を引き出して、水の補充を行うことができる。
【００５６】
＜操作入力部６０＞
操作入力部６０の上部には、図３、図１０に示すように、運転入／切ボタン６１、運転切換ボタン６２、風量選択ボタン６３、湿度選択ボタン６４、コース選択ボタン６５、タイマー選択ボタン６６、オートルーバーボタン６７、おすすめボタン６８、およびリセットボタン８４が設けられており、ユーザが各ボタンを操作することによって、その操作に基づいた制御を、制御部６は行わせる。
【００５７】
（各ボタンの説明）
運転入／切ボタン６１は、空気調和機１への電源供給をオン・オフするボタンである。
【００５８】
運転切換ボタン６２は、運転モードを選択するボタンであり、「空気清浄」、「加湿」及び「除湿」のいずれか１つを選択することができる。
【００５９】
風量選択ボタン６３は、風量レベルを選択するボタンである。
【００６０】
湿度選択ボタン６４は、湿度レベルを選択するボタンである。
【００６１】
コース選択ボタン６５は、季節や居住環境に対応した運転を選択するためのボタンである。
【００６２】
タイマー選択ボタン６６は、運転時間を設定するボタンである。
【００６３】
オートルーバーボタン６７は、オートルーバ１２を遥動させるスイング制御を開始させ、吹き出し方向を変化させることができるボタンである。
【００６４】
おすすめボタン６８は、運転内容を自動で選択させるボタンである。
【００６５】
リセットボタン８４は、各種の運転をリセットするボタンである。
【００６６】
＜操作入力部６０の操作例＞
（おすすめ）
運転入／切ボタン６１を操作した後、おすすめボタン６８を操作したとき、制御部６が、その時の空気の状態に適した運転を行わせ、風量は自動となる。
【００６７】
（空気清浄）
運転入／切ボタン６１を操作した後、運転切換ボタン６２を操作して「空気清浄」を選ぶ。
【００６８】
（加湿）
運転入／切ボタン６１を操作した後、運転切換ボタン６２を操作して「加湿」を選ぶ。
【００６９】
（除湿）
運転入／切ボタン６１を操作した後、運転切換ボタン６２を操作して「除湿」を選ぶ。
【００７０】
（内部乾燥）
運転入／切ボタン６１を操作した後、コース選択ボタン６５を操作して「内部乾燥」を選ぶ。このコースは、カビの発生を抑えることができる。
【００７１】
（ハウスキープ）
運転入／切ボタン６１を操作した後、コース選択ボタン６５を操作して「ハウスキープ」を選ぶ。このコースは、加湿運転後に不要になった湿気を取り除くために除湿運転を行うので、結露の発生を抑制することができる。
【００７２】
＜制御部６の構成＞
制御部６は、ＣＰＵやメモリ等を含むマイクロコンピュータから構成されている。
【００７３】
また、制御部６は、空気清浄部２、除湿部３、加湿部４、送風機５、操作入力部６０、傾斜スイッチ８１、ＬＥＤ８２、ブザー８３等と、電気的に接続されている。
【００７４】
傾斜スイッチ８１は、空気調和機１が転倒すると、転倒検知をして転倒検知信号を制御部６へ送信したり、空気調和機１が、ユーザによって転倒状態から起こされ正常な状態に戻った場合には、転倒検知解除をして転倒検知状態解除信号を制御部６へ送信したりする。そして、制御部６は、転倒検知信号および転倒検知解除信号に基づいて空気清浄部２、除湿部３、加湿部４、送風機５の制御を行うとともに、ＬＥＤ８２による表示およびブザー８３の音の制御を行わせる。
【００７５】
また、制御部６は、第１制御と第２制御を有する。制御部６は、転倒検知状態解除信号に基づいて、第１制御を行わせた後さらに第２制御を行わせる。
【００７６】
第１制御は、第１所定時間の運転禁止状態を保たせる。第２制御は、第２所定時間送風機５のみを稼動させる送風運転状態を保たせる。
【００７７】
さらに、制御部６は、ユーザによる操作入力部６０への操作がされた場合やホコリセンサ２４、ニオイセンサ２５がホコリやニオイを検知した場合にも、その操作に基づいて空気清浄部２、除湿部３、加湿部４、送風機５等を制御する。
【００７８】
ＬＥＤ８２による点灯表示は、操作入力部６０の上部に表示され、カバー１３の上方から確認することができる。
【００７９】
空気調和機１が転倒し、傾斜スイッチ８１が転倒検知をした場合に、制御部６が、ＬＥＤ８２による点灯表示およびブザー８３の音の発報を行わせることによって、空気調和機１が転倒したことをユーザに知らせる。
【００８０】
なお、空気調和機１が起こされ正常な状態に戻り、傾斜スイッチ８１が転倒検知解除をしても、さらに、後に詳述するリセットボタン８４の操作がされるまでは、制御部６は、ＬＥＤ８２による点灯表示およびブザー８３の音の発報を行わせ続ける。
【００８１】
ここで、転倒時でのブザー８３の音は、空気調和機１の通常の運転時の音よりも大きな音である。
【００８２】
＜リセットボタン８４＞
操作入力部６０の上部に位置するリセットボタン８４は、上述した各種の運転のリセットをするだけのボタンではない。
【００８３】
空気調和機１が、ユーザによって転倒状態から起こされて正常な状態に戻った場合には、傾斜スイッチ８１が転倒検知解除を行うと上述したが、その場合に、ユーザがリセットボタン８４を押すことによって、制御部６は、第１制御の実行を開始させる。
【００８４】
つまり、空気調和機１が転倒状態から起こされ正常な状態に戻った場合に、ユーザが操作を行うことによって、制御部６が、第１制御の実行を開始させるボタンでもある。
【００８５】
なお、上述したように、空気調和機１が転倒状態から起こされ正常な状態に戻った場合であって、傾斜スイッチ８１が転倒検知解除をした場合に、ユーザが操作を行うことによって、ＬＥＤ８２による点灯表示およびブザー８３の音の発報を停止させるボタンでもある。
【００８６】
＜転倒検知以降の制御フローチャート＞
図１１は、転倒検知以降の制御フローチャートである。
【００８７】
ステップＳ１では、制御部６は、傾斜スイッチ８１が転倒検知をしているか否かを判定する。制御部６が転倒検知をしていると判定した場合はステップＳ２に移行する。他方、制御部６が転倒検知をしていないと判定した場合には、ステップＳ７に移行する。ステップＳ７では、制御部６は、ユーザが操作入力部６０への操作をすることによって選択した運転モードを行わせる。
【００８８】
ステップＳ２では、制御部６は、傾斜スイッチ８１が連続して１秒以上転倒検知をしているか否かを判定する。制御部６が転倒検知をしていると判定した場合は、ステップＳ３に移行する。他方、制御部６が転倒検知をしていないと判定した場合は、ステップＳ８に移行する。ステップＳ８では、制御部６は、ユーザが操作入力部６０への操作をすることによって選択した運転モードを行わせる。
【００８９】
ステップＳ３では、制御部６は、傾斜スイッチ８１が転倒検知をした場合に、イオン化部２７、ヒータ３２、駆動モータ４３、送風機５等の停止を行わせる。それとともに、ステップＳ４で、制御部６は、ＬＥＤ８２による点灯表示を行わせるとともに、ブザー８３の音の発報を行わせる。
【００９０】
ステップＳ５では、制御部６は、傾斜スイッチ８１が未だ転倒検知をしているか否かを判定する。制御部６が転倒検知をしていないと判定した場合は、ステップＳ６に移行する。他方、制御部６が転倒検知をしていると判定した場合は、ステップＳ４に戻って繰り返す。
【００９１】
ステップＳ６では、制御部６は、ユーザによってリセットボタン８４への操作が行われたか否かを判定する。
【００９２】
リセットボタン８４への操作が行われている場合は、図１２に示すように、ステップＳ９に移行する。他方、リセットボタン８４への操作が行われていない場合には、ステップＳ４に戻って繰り返す。
【００９３】
ここでは、空気調和機１が、ユーザによって転倒状態から起こされて正常な状態に戻った場合であって、傾斜スイッチ８１が転倒検知解除をした場合のみ、リセットボタン８４への操作は有効である。
【００９４】
つまり、空気調和機１が転倒状態から起こされて正常な状態に戻った場合であって、傾斜スイッチ８１が転倒検知解除をした場合でなければ、リセットボタン８４を操作しても、Ｓ９には移行せず、Ｓ４に戻って繰り返す。
【００９５】
ステップＳ９では、制御部６は、ユーザによってリセットボタン８４への操作が行われた場合に、ＬＥＤ８２による点灯表示およびブザー８３の音の発報を停止させる。
【００９６】
そして、ステップＳ１０で、制御部６は、第１所定時間の運転禁止状態を保たせた後、さらにステップＳ１１で、制御部６は、第２所定時間送風機５のみを稼動させる送風運転状態を保たせる。
【００９７】
ここで、第１所定時間と第２所定時間は同じであっても、異なるものであってもよい。
【００９８】
ステップＳ１０で第１所定時間の運転禁止状態が保たれ、さらにＳ１１で第２所定時間の送風運転状態が保たれた後は、ステップＳ１２に移行する。
【００９９】
ステップＳ１２では、制御部６は、ユーザが操作入力部６０への操作をすることによって選択した運転モードを行わせる。
【０１００】
＜本実施形態に係る空気調和機１の特徴＞
（１）
上記実施形態の空気調和機１では、送風機５、第１制御および第２制御を有する制御部６および傾斜スイッチ８１を備えている。傾斜スイッチ８１が転倒検知解除をした後には、制御部６は、第１制御を行わせた後さらに第２制御を行わせる。すなわち、制御部６は、第１所定時間の運転禁止状態を保たせた後に、さらに第２所定時間送風機５のみを稼動させる送風運転状態を保たせる。
【０１０１】
これにより、空気調和機１の安全性をより高める。
【０１０２】
（２）
上記実施形態の空気調和機１では、傾斜スイッチ８１が転倒検知をしたときには、ユーザに転倒を知らせるＬＥＤ８２およびブザー８３が設けられている。ＬＥＤ８２による点灯表示およびブザー８３の音の発報は、空気調和機１が起こされ正常な状態に戻り、傾斜スイッチ８１が転倒検知解除をした後でも、ユーザがリセットボタン８４への操作を行わない限り転倒報知を続ける。
【０１０３】
これにより、より安全性が高められている。
【０１０４】
＜空気調和機１の変形例＞
以上、本発明の実施形態について図面に基づいて説明したが、具体的な構成は、これらの実施形態に限られるものではなく、発明の要旨を逸脱しない範囲で変更可能である。
【０１０５】
（Ａ）
上記実施形態では、空気清浄機能、除湿機能および加湿機能を備える空気調和機１であると説明したが、本発明はこれに限られるものではなく、水貯留容器を備える他の空気調和機にも適用することができる。例えば、除湿機能のみを備える空気調和機であっても適用できるし、加湿機能のみを備える空気調和機であっても適用できる。また、ドレンパン等の水貯留容器を備える冷房機にも適用できる。
【０１０６】
（Ｂ）
上記実施形態では、制御部６は、傾斜スイッチ８１が転倒検知解除をした後に、第１制御を行わせた後さらに第２制御を行わせると説明した。
【０１０７】
しかし、本発明はこれに限られるものではなく、制御部６は、第１制御のみを行わせてもよいし、第２制御のみを行わせてもよい。
【０１０８】
制御部６が、第１制御のみを行わせる場合は、図１２を図１３に変更する。
【０１０９】
この場合は、ステップＳ９で、制御部６が、ＬＥＤ８２による点灯表示およびブザー８３の音の発報を停止させた後、ステップＳ１３で、制御部６は、第１所定時間の運転禁止を行わせる。そして、ステップＳ１４では、制御部６は、ユーザが操作入力部６０への操作をすることによって選択した運転モードを、行わせる。
【０１１０】
これにより、より安全性が高められる。
【０１１１】
制御部６が、第２制御のみを行わせる場合は、図１２を図１４に変更する。
【０１１２】
この場合は、ステップＳ９で、制御部６が、ＬＥＤ８２による点灯表示およびブザー８３の音の発報を停止させた後、ステップＳ１５で、制御部６は、第２所定時間の送風運転を行わせる。そして、ステップＳ１６では、制御部６は、ユーザが操作入力部６０への操作をすることによって選択した運転モードを、行わせる。
【０１１３】
これにより、空気調和機１の内部をより速く乾燥させる。
【０１１４】
（Ｃ）
上記実施形態では、空気調和機１が転倒し、傾斜スイッチ８１が転倒検知をした場合に、制御部６が、ＬＥＤ８２による点灯表示およびブザー８３の音の発報を行わせることによって、空気調和機１が転倒したことをユーザに知らせると説明した。
【０１１５】
しかし、本発明はこれに限られるものではなく、ＬＥＤ８２による点灯表示のみでユーザに知らせてもよいし、ブザー８３の音の発報のみでユーザに知らせてもよい。
【０１１６】
また、ブザー８３の発報の代わりに、アナウンスを発報することによって、ユーザに知らせてもよい。この場合、空気調和機１はスピーカーを備えた構成とする。
【０１１７】
また、ユーザへの報知手段はＬＥＤ８２による表示、ブザー８３の音の発報に限られず、図１５に示すように、リモコン８５を用い、リモコン８５の液晶画面８６にピクトグラム、アニメーション、記号、文字等を表示させることによって空気調和機１が転倒したことをユーザに知らせてもよいし、リモコン８５にバイブレーション機能をもたせ、空気調和機１が転倒した場合、所定時間リモコン８５を震動させることによって、ユーザに知らせてもよい。
【０１１８】
また、リモコン８５の液晶画面８６へのピクトグラム等の表示とバイブの震動を同時に行わせてもよい。
【０１１９】
さらに、ユーザへの報知手段はＬＥＤ８２による点灯表示に限られず、カバー２１に表示ディスプレイを設け、その表示ディスプレイにピクトグラム、アニメーション、記号、文字等を表示させることによってユーザに知らせてもよい。
【産業上の利用可能性】
【０１２０】
本発明を利用すれば、安全性をより高めることが可能になるため有用である。
【図面の簡単な説明】
【０１２１】
【図１】本発明の一実施形態に係る空気調和機の斜視図。
【図２】空気調和機本体の縦断面図。
【図３】制御部の制御ブロック図。
【図４】空気調和機の本体上部の斜視図。
【図５】図７の空気調和機を下流側から視た除湿部の斜視図。
【図６】除湿部をヒータ側から視た正面図。
【図７】空気調和機から水貯留容器と気化素子とを引き出した状態の斜視図。
【図８】図７の空気調和機を上流側から視た加湿部の斜視図。
【図９】図７の空気調和機を下流側から視た加湿部の斜視図。
【図１０】操作入力部の斜視図。
【図１１】転倒検知以降の制御フローチャート。
【図１２】転倒検知解除以降の制御フローチャート。
【図１３】空気調和機１の変形例（Ｂ）に係る転倒検知解除以降の第１制御のフローチャート。
【図１４】空気調和機１の変形例（Ｂ）に係る転倒検知解除以降の第２制御のフローチャート。
【図１５】空気調和機１の変形例（Ｃ）に係るリモコン本体。
【符号の説明】
【０１２２】
１  空気調和機
３  除湿部
４  加湿部
５  送風機
６  制御部
８  転倒検知部
９  報知部
４０  水貯留容器
６０  操作入力部
８１  傾斜スイッチ（転倒検知部）
８２  ＬＥＤ（報知部）
８３  ブザー（報知部）
８４  リセットボタン（操作入力部）
【図１】
2009257632.tif 000003
【図２】
2009257632.tif 000004
【図３】
2009257632.tif 000005
【図４】
2009257632.tif 000006
【図５】
2009257632.tif 000007
【図６】
2009257632.tif 000008
【図７】
2009257632.tif 000009
【図８】
2009257632.tif 000010
【図９】
2009257632.tif 000011
【図１０】
2009257632.tif 000012
【図１１】
2009257632.tif 000013
【図１２】
2009257632.tif 000014
【図１３】
2009257632.tif 000015
【図１４】
2009257632.tif 000016
【図１５】
2009257632.tif 000017